(57)【特許請求の範囲】
【請求項１】
上面に表面板を有する箱状の本体と、前記表面板上に固着され所定間隔毎にフレットの形成された指板の上方で張架された１又は複数の主要旋律弦と、前記表面板の前記指板設置箇所以外の領域上方で前記主要旋律弦に略平行に張架された伴奏弦と、前記指板のフレットに対応する位置にそれぞれ設置され前記主要旋律弦を前記指板側に押圧して前記フレットに当接させ主要旋律弦の弾き音の高さを決定するための鍵盤機構と、を備えた卓上琴において、
前記伴奏弦は、所定間隔をもって張架されたそれぞれ弾き音の高さの異なる複数種類かつ複数本の弦にて構成され、いずれか一方の側から順に弾き音が低くなるように配列されており、
前記伴奏弦と前記表面板との間には、台部、その台部の上部に設けられ前記伴奏弦を押し上げ可能な弦支持部及び前記台部の延長部分である把持部からなる移調スティックが設けられ、
前記弦支持部は、当該移調スティックの設置状態において、移調のために必要な所定の伴奏弦を押し上げることができるように設けられ、
前記把持部は、当該移調スティックの設置状態において、前記表面板の縁部から突出するように設けられていることを特徴とする卓上琴。
【請求項２】
上面に表面板を有する箱状の本体と、前記表面板上に固着され所定間隔毎にフレットの形成された指板の上方で張架された１又は複数の主要旋律弦と、前記表面板の前記指板設置箇所以外の領域上方で前記主要旋律弦に略平行に張架された伴奏弦と、前記指板のフレットに対応する位置にそれぞれ設置され前記主要旋律弦を前記指板側に押圧して前記フレットに当接させ主要旋律弦の弾き音の高さを決定するための鍵盤機構と、を備えた卓上琴において、
前記伴奏弦は、所定間隔をもって張架されたそれぞれ弾き音の高さの異なる複数種類かつ複数本の弦にて構成され、いずれか一方の側から順に弾き音が低くなるように配列されており、且つ
前記伴奏弦を構成する複数の弦を、
それぞれ異なった色にて着色したことを特徴とする卓上琴。
【請求項３】
前記伴奏弦を構成する複数の弦を、
前記主要旋律弦に近い弦から遠くなる弦の順で前記表面板からの高さ位置が低くなるように張架したことを特徴とする請求項１又は２に記載の卓上琴。
【請求項４】
前記複数の伴奏弦の張架された前記表面板上面に、
各伴奏弦のハーモニクス音の生じる押え位置を示すラインを各音階毎に表示したことを特徴とする請求項１又は２に記載の卓上琴。
【発明の詳細な説明】
【０００１】
【産業上の利用分野】
本発明は、卓上琴、特に大正琴の構成を基本とし当該琴の楽器機能を向上させるための改良を行って構成した卓上琴に関するものである。
【０００２】
【従来の技術】
いわゆる大正琴は、その特色のある美しい音色によって現在でも多くの人々に親しまれている。
図１１は、そのような従来の大正琴の構成を示す図であり、同図（Ａ）は平面図、同図（Ｂ）は右側やや上方から見た概略斜視図である。
【０００３】
図示のように、大正琴１０は、共鳴箱の機能を有する箱状の本体１２を有しており、その上面部である表面板１４上に弦が張架されている。弦は、主旋律を引くための４本の主要旋律弦１６ａ〜１６ｄ及び常に開放弦の状態で引かれる伴奏弦１８とからなり、各弦は、本体１２の一端側に形成されたヘッド部２０と他端側に設置された弦止め用のポート２２との間に張架されている。ヘッド部２０には、それぞれの弦を巻き上げ張架するための弦巻き部が形成されており、スプールノブ２４とこのスプールノブ２４の回転動作に伴って回転し、弦を巻き上げるスプールピン２６とから構成されている。各弦は、表面板１４上のナット２８とブリッジ３０の上面に掛け渡された状態で張架されている。
【０００４】
４つの主要旋律弦１６ａ〜１６ｄのうち１６ａ、１６ｂ、１６ｃの３本は、共通の音程（ソ）、他の１本の弦１６ｄはそれより１オクターブ低い（ソ）の音程となるような弦を用い、張架している。すなわち、弦１６ａ〜１６ｃは、１本の線状の極細弦であり、弦１６ｄは線状の芯線の外表面に他の線を巻回した巻小細弦が用いられている。そして、伴奏弦１８は、主要旋律弦１６ａ〜１６ｄよりも更に低い音となるような巻き弦が用いられている。この伴奏弦１８は、弦１６ｄよりもさらに１オクターブ低い（ソ）の音になるような弦が用いられている。すなわち、通常の張架状態では各弦はオクターブの違う共通の（ソ）の音とされている。
【０００５】
主要旋律弦１６ａ〜１６ｄは、主として主旋律を弾くための弦であり、それらの弦は、表面板１４上に設置された指板３２上方で所定間隔をもって張架されている。指板３２表面には主要旋律弦１６ａ〜１６ｄにより各高さの音程を発生させることのできるような位置にフレット３４が所定間隔をもって設置されている。
【０００６】
そして、本体１２の背面１２ａ側には約９０度に屈曲されたコラム３６（同図（Ｂ）参照）が取り付けられ、ルーフ３８がこれに支持されている。このルーフ３８の下面側には、バネ４０によって上方（矢印１００方向）に常に付勢された鍵盤４２が設けられている。鍵盤４２は、バネ４０にて付勢されたバー４２ａ及びその先端に取り付けられたボタン４２ｂにて構成されている。すなわち、演奏者はボタン４２ｂを押し下げ、バー４２ａにて主要旋律弦１６ａ〜１６ｄを同時に指板３２側に押し下げ、各弦を対応する各フレット３４に当接させ所定の音程の音を出せる状態にするものである。
なお、鍵盤４２は、図上白色で示した幹音鍵盤４２ｂ−１及び黒色で示した派生音鍵盤４２ｂ−２の２種類があり、派生音鍵盤４２ｂ−２は、ピアノにおける黒鍵に相当する役割を果すものである。また、各ボタン４２ｂの上面には、数字符号が付されている。
【０００７】
図１２は、上述した鍵盤４２の押下げ動作を行いつつ弦を弾く一般的な演奏動作を示す説明図である。図示のように、２本の指でピック４４をもって弦を爪弾くものである。その位置は、ブリッジ３０の図上左側で、表面板１４に形成されたサウンドホール４６の近傍位置である。
【０００８】
【発明が解決しようとする課題】
上記従来の大正琴では、弦は、主旋律を奏でる４本の主要旋律弦１６ａ〜１６ｄ以外には、１本の伴奏弦１８しか存在していない。従って、伴奏弦１８は、主要旋律弦１６ａ〜１６ｄを用いて主旋律を弾いている最中に、その音が和音として使用できる場合にのみ弾かれている。従って、主旋律音の発生がほとんどで、伴奏音は全体としては極めて少ないものとなっている。すなわち、大正琴は伴奏機能はなく、主旋律の音色の特殊性で聴者を引き付けているものであり、楽器としての機能性は非常に低いものである。従って、ギターやピアノなどに比べ独奏楽器としては不十分であり、他の楽器との合奏は可能ではあるが、歌の伴奏などは旋律しか奏でられないために不可能である。このような種々の問題があり、楽器としては物足りないことから、若年者層には余り普及していないのが現状である。
【０００９】
本発明は、上記種々の問題点を解決することを課題としてなされたものであり、その目的は大正琴の音楽的機能性をより高め、楽器としての利用価値を大きく向上させた卓上琴を提供することにある。
【００１０】
上記目的を達成するために、請求項１に係る卓上琴は、上面に表面板を有する箱状の本体と、前記表面板上に固着され所定間隔毎にフレットの形成された指板の上方で張架された１又は複数の主要旋律弦と、前記表面板の前記指板設置箇所以外の領域上方で前記主要旋律弦に略平行に張架された伴奏弦と、前記指板のフレットに対応する位置にそれぞれ設置され前記主要旋律弦を前記指板側に押圧して前記フレットに当接させ主要旋律弦の弾き音の高さを決定するための鍵盤機構と、を備えた卓上琴において、
前記伴奏弦は、所定間隔をもって張架されたそれぞれ弾き音の高さの異なる複数種類かつ複数本の弦にて構成され、いずれか一方の側から順に弾き音が低くなるように配列されており、
前記伴奏弦と前記表面板との間には、台部、その台部の上部に設けられ前記伴奏弦を押し上げ可能な弦支持部及び前記台部の延長部分である把持部からなる移調スティックが設けられ、
前記弦支持部は、当該移調スティックの設置状態において、移調のために必要な所定の伴奏弦を押し上げることができるように設けられ、
前記把持部は、当該移調スティックの設置状態において、前記表面板の縁部か
ら突出するように設けられているようにしている。
【００１２】
請求項２に係る卓上琴は、前記伴奏弦を構成する複数弦をそれぞれ異なった色にて着色している。
【００１３】
請求項３に係る卓上琴は、前記伴奏弦を構成する複数の弦を前記主要旋律弦に近い弦から遠くなる弦の順で前記表面板からの高さ位置が低くなるように張架している。
【００１４】
請求項４に係る卓上琴は、前記複数の伴奏弦の張架された前記表面板上面に各伴奏旋律弦のハーモニクス音の生じる押え位置を示すラインを各音階毎に表示している。
【００１５】
【作用】
上記請求項１に係る卓上琴によれば、従来１本のみしか存在していなかった主要旋律弦以外の伴奏弦を複数設置している。すなわち、卓上琴の本体の上面である表面板上のスペースを有効に利用し、そこに複数の伴奏弦を張架し、それらの弦をそれぞれ異なった弾き音の高さを発する弦にて構成している。
従って、主要旋律弦にて主旋律が弾かれている時に、それに合せて種々の和音を奏でることが可能であり、幅広い伴奏音を発することができ、独奏楽器として極めて機能の高いものとなっている。
又、複数の伴奏弦は、いずれか一方の側から順に音が低くなるように異なる種類の弦が配列張架されるので、予め所定の調となるように調律しておくことが可能である。
【００１６】
さらに、請求項１に係る卓上琴によれば、例えば、複数の伴奏弦が所定の音階（調）に調律されている時に、移調スティックを設置し、これを所定位置に移動させることによって任意の長調あるいは短調の調にセッティングすることができる。すなわち、移調スティックは、伴奏弦と表面板との間に設置された状態で、所定の弦（全弦も含む）を押し上げているので、その弦の張架長さを変更し、弾き音の音程を変えている。従って、移調スティックを適正位置に設置することにより、既に張架されている伴奏弦を所望の調に変えることができるものである。
【００１７】
また、請求項２に係る卓上琴によれば、伴奏弦の各弦がそれぞれ異なった色とされているので、演奏中において弦の区別がつき易い。従って、特に初心者にとって弾き易いものとなる。請求項３に係る卓上琴によれば、伴奏弦の数をかなり多くしたような場合でも、演奏者の手前に近付くにつれてその弦の張架高さ位置が低くなっているので、ピックによる手前側の弦の弾き動作が非常に容易なものとなっている。更に、請求項４にかかる卓上琴によれば、表面板上に伴奏弦のハーモニクス演奏の押え位置が表示されているので、演奏中に伴奏弦のハーモニクス音（一般に倍音と呼ばれている）を簡単に発生させることができるので、さらに演奏音の幅が広がる。
【００１８】
【実施例】
以下、図面に基づいて本発明の実施例について詳細に説明する。
図１乃至図３は、実施例に係る卓上琴の平面図、左側面図及び右側面図をそれぞれ示している。なお、図において図１１の従来例と同様の要素には同一の符号を付し、その説明を省略する。
【００１９】
図上、説明の便宜のため主要旋律弦１６は１本のみを示しているが、実際には３本あるいは４本の共通音（ソ）の弦が張架される（従来例と同様）。従って、スプールノブ２４及びスプールピン２６の数は、実際には主要旋律弦１６の数に対応する本数が設けられている。
【００２０】
本実施例の特徴的事項は、伴奏弦を７本設けたことであり、各伴奏弦１８ａ〜１８ｇは主要旋律弦１６に近い側から順に弾き音が低くなるように弦の種類が設定されている。例えば、張架状態での音が１８ａ〜１８ｇに向けて、ファ、ミ（フラット）、レ、ド、シ（フラット）、ラ（フラット）、ソの音となるように弦が張架されている。弦の種類としては、例えば主要旋律弦１６を極細弦とすると、伴奏弦１８ａ〜１８ｇに向けて順に、小細弦、中細弦、細弦、太細弦、小太弦、中太弦、太弦という異なった種類の弦が用いられている。更に、各弦には、異なった色が付されている。
【００２１】
また、本実施例の他の特徴的事項は、図３に示されているように、ブリッジ３０の高さを図上左側へ向けて徐々に低くしたことである。すなわち、演奏者の手前側に向って伴奏旋律弦１８の張架高さ位置を徐々に低くしている。
演奏者は、左手にて鍵盤を構成するボタン４２ｂ−１、４２ｂ−２を押えつつ右手にて弦を爪弾いて演奏を行う。
【００２２】
図４は、本発明の卓上琴の演奏方法の一例を示す図である。
図示のように、従来の大正琴と異なり、伴奏弦１８の数が多いため、その演奏には２つのピック４４ａ、４４ｂを用いるようにしている。すなわち、ピック４４ａを親指側に装着し、ピック４４ｂを人差指及び中指の間に挟み、ゴムなどで形成したストッパー５０にて容易にピック４４ｂが落下しないようにし、ピック４４ａにて伴奏弦１８を弾き、ピック４４ｂにて主要旋律弦１６を弾くようにしている。
これにより、演奏者は、主要旋律弦１６による主旋律の演奏に合わせて７本設けられた伴奏弦１８ａ〜１８ｇによって様々な和音、例えば主要３和音、副３和音その他の和音を弾くことができる。従って、幅のある伴奏音を付加しながら曲の演奏か可能となり、独奏楽器としての機能が顕著に向上する。従って、大正琴の特殊で美しい音色を生かしたまま独奏楽器としての機能が高められることとなる。また、上記のように各弦１８の色が異なることから、上記の７本のような本数の多い伴奏弦１８を用いる場合でも、視覚的な選択がより容易なものとなるので演奏の難易度が和らげられる。
【００２３】
また、図４に示した演奏状態において、ブリッジ３０近傍で親指による爪弾き動作が行われるが、この場合に伴奏弦１８は手前側に徐々に低くなるように張架されているので、ピックの無用な引掛かりを防止することができ、演奏の容易化が図られている。
本実施例のような卓上琴は、奏法としては筝に似ており、音色はハープ及びスチール弦のクラシックギターを合わせたものに近いものとなる。また、本体１２の大きさもやや大型なものとし、本体１２の側面板の厚みも従来のものより厚くし、本体１２内の共鳴調整木などを充実させることにより、従来のものに比べ音量並びに遠達性も著しく向上し、ホールなどでのコンサートにも十分に耐えられるものとなる。
【００２４】
次に、伴奏弦１８の移調を極めて簡単に行うための構成要素について説明する。
図５は、その移調のための手段としての移調スティックの説明図であり、同図（Ａ）は全体構成を示す概略斜視図、同図（Ｂ）は装着状態を示す部分斜視図、同図（Ｃ）はその機能を示す部分概略断面図である。
【００２５】
図示のように、移調スティック５２は、例えば木で構成された台部５２ａ及び樹脂などにて構成された弦支持部５２ｂとから構成されている。そして、この移調スティック５２の高さ（厚さ）ｈは、張架された伴奏旋律弦１８と本体１２の表面板１４との間隔よりもやや大きい高さとされている。
同図（Ｂ）に示したように、移調ステッィク５２が装着されると、各伴奏弦１８は、弦支持部５２ｂで持ち上げられた位置によってその張架長さが変化することとなる。従って、同図（Ｃ）に示したように移調スティック５２を表面板１４上でスライド移動させその位置を調整することにより、様々な調への移調を行うことが可能である。
【００２６】
また、移調スティック５２は、装着状態における手前側の部分に弦支持部５２を上方に突出させていない部分である把持部５２ｃを設けており、この部分を把持して上記スライド動作等を簡単に行うことができる。
また、移調スティック５２は、常に伴奏弦１８の全ての弦を持ち上げるものではなく、所定の伴奏弦１８のみを持ち上げるようにすることもでき、この場合、弦支持部５２ｂの形状を代え、必要な伴奏弦１８のみを持ち上げるようにすることができる。図５（Ｂ）において図上右側に装着されている移調スティック５２がその例であり、３本の伴奏弦１８のみを持ち上げている。
【００２７】
図６は、このような移調スティック５２の弦支持部５２ｂの形状の例を示しており、例として５種類のものが示されている。すなわち、図上斜線を施した部分が伴奏弦１８を押し上げる部分であり、その部分の弦支持部５２ｂが他の部分よりも突出した形状とされるものである。
【００２８】
次に、上記移調スティック５２の具体的使用方法並びにその作用について説明する。
図７は、主要旋律弦１６及び伴奏弦１８と装着された移調スティック５２のみを示しており、図上、最上位置に示された横線が主要旋律弦１６であり、以下の７本が伴奏弦１８ａ〜１８ｇである。なお、図上、理解の容易化のため主要旋律弦の各音の位置を縦線にて示しているが、実際にはこのような線は表面板１４上には付されていない。従って、演奏者は、指板３２のフレット３４によってその位置を設定することとなる。
例えば、本実施例では、伴奏弦１８は、当初ハ短調の調律がなされている。そして、第１の移調スティック５２−１により２フレット目の位置で伴奏弦１８全弦を持ち上げ、移調スティック５２−２により３フレット目の位置で伴奏弦１８ａ、１８ｂ、１８ｅ、１８ｆの４本を持ち上げている。これにより、伴奏弦はイ長調に調律された状態になる。
【００２９】
さらに、図８は、他の具体例を示しており、ハ短調の調律がなされている状態で、３フレット目で移調スティック５２−１にて伴奏弦１８全弦を持ち上げ、４フレット目の位置で移調スティック５２−２により伴奏弦１８ｂ、１８ｅ及び１８ｆのみを押し上げている。これにより、伴奏弦１８は変ホ長調に調律された状態となる。このうように、移調スティック５２を用いることで、簡単かつ迅速に長調から短調、短調から長調への移調を行うことができ、複数化された伴奏弦１８の機能をより高めている。
このように、２種類の形状の移調スティックを所定位置にセッティングすることにより、主要旋律弦１６ａ〜１６ｄによって弾くべき曲の調に移調させることが可能となり、数字符にて示された楽譜だけでなく５線符に基づいてその曲を演奏することも容易なものとなる。従って、曲の演奏の幅が極めて広がり、種々の楽器との合奏も容易に行うことができるようになる。
【００３０】
図９（Ａ）及び（Ｂ）は、他の実施例に係る卓上琴を示している。この実施例の特徴的なことは、伴奏弦１８の本数を４本にしたことである。図１〜図３に示した実施例では７本の伴奏弦１８ａ〜１８ｇを用いたが、初心者にとっては７本の伴奏弦１８を使いこなすことは、高度な技術を要し難いことから、４本の伴奏弦１８ｈ〜１８ｋのものを構成したものである。
この場合も同様に、伴奏弦１８は、主要旋律弦１６側から徐々に音程が低くなるように設置されている。例えば、主要旋律弦１６を極細弦とすると伴奏弦１８ｈが細弦、１８ｉが中細弦、１８ｊが中太弦、１８ｋが太弦とされている。各伴奏弦１８の音程は、例えば１８ｈがファ、１８ｉがレ、１８ｊがド、１８ｋがソとされる。
【００３１】
同図（Ｂ）は、伴奏弦４本の卓上琴に対して移調スティック５２を装着した例が示されており、移調スティックの弦支持部５２ｂの形状は、伴奏弦４本の間隔に対応した形状のものが用いられている。その作用については上述の実施例の場合と同様に、装着することにより簡単に移調を行うことができるものである。
【００３２】
次に、図１及び図９（Ａ）に示された平面図から理解されるように、表面板１４上の所定位置にはハーモニクスライン５４が８本表示されている。これは、実音よりも１オクターブ上げて弾く特殊奏法であるハーモニクス奏法に用いるためのラインであり、演奏音に幅や深みを持たせることができるものである。８本のラインは、上述のような移調スティック５２により移調が行われた場合にそれに対応したハーモニクス音発生のための押え位置がそれぞれ示されているものである。演奏者は、調律された音階に対応するハーモニクスライン５４の位置で左指を弦にかるく触れ弦をブリッジ３０の付近で爪弾くことでハーモニクス音を発生させることができる。
このハーモニックスライン５４についても、そのラインの色をそれぞれ変えておくことにより、演奏中に容易に使用すべきハーモニクスラインを特定することが可能となる。
【００３３】
図１０は、移調スティック５２の他の構成例を示したものであり、移調スティック５２の装着状態におけるスライド移動をより容易なものとするための構成を有するものである。
この例では、移調スティック５２は本体５３の所定箇所に突出部５３ａを設け、これに略円柱状の細い弦支持バー５５を回動可能に装着したものである。本体５３は例えば樹脂にて形成し、弦支持バー５５は金属にて形成する。弦支持バー５５は、突出部５３ａの上面に形成された円形凹部内に端部を挿入させた状態で回転可能に装着されている。
移調スティックは、伴奏旋律弦１８の本数が多い場合にかなり強い力で表面板１４上に押し付けられた状態となっているが、上記のような構成とすることにより、弦支持バー５５を回転させつつスライド移動させることができるのでその抵抗は非常に弱いものとなり、移調動作がよりスムーズなものとなる。
【００３４】
更に、上記各実施例によれば、伴奏弦１８が複数弦になったことにより、アルペジオ（分散和音）奏法も可能となり、また鍵盤のボタン４２ｂを押す動作を行う左手の他の指も伴奏弦１８を弾くことに用いることができ、より多くの和音を弾くことも可能となる。さらに主要旋律弦１６でメロディーに対するハーモニーをトレモロで弾く時左指にて伴奏弦１８でメロディーの動きを加えるなど高度な変奏曲などの演奏も可能となる。
なお、本発明は上記各実施例の構成に限定されるものではなく、発明の要旨の範囲内で種々の変形が可能である。例えば、伴奏弦１８の本数は、上述の４本及び７本限定されるものではなく、２本以上の数を適宜選定することも可能であり、各弦を２本づつ並べる複弦とすることも可能である。
【００３５】
【発明の効果】
以上説明しように、本発明に係る卓上琴によれば、極めて美しい個性の豊な音色の大正琴をその音色を生かしたまま改良し、完成度の高い卓上琴とすることができる。すなわち、伴奏弦を複数かつ異なった音程の弦とすることにより、多くの和音を奏でることが可能となり、演奏の多様性が生まれ、独奏楽器としての機能が高められる。これにより、若年者層への卓上琴の普及にも貢献することができる。
【図面の簡単な説明】
【図１】伴奏旋律弦を７本とした実施例の平面図である。
【図２】図１の実施例の左側から見た斜視図であるる
【図３】図１の実施例の右側から見た斜視図である。
【図４】実施例演奏方法を示す説明図である。
【図５】（Ａ）、（Ｂ）及び（Ｃ）は移調スティックの構成を示す概略斜視図、移調スティックの装着状態説明図及び移調スティックのスライド動作説明図をそれぞれ示している。
【図６】移調スティックの構成例を示す説明図である。
【図７】移調スティックの作用説明図である。
【図８】移調スティックの作用説明図である。
【図９】（Ａ）及び（Ｂ）は伴奏旋律弦を４本とした実施例の平面図、（Ｂ）は移調スティックを装着した状態の部分斜視図である。
【図１０】移調スティックの他の構成例を示す概略斜視図である。
【図１１】（Ａ）は従来の大正琴の概略平面図、（Ｂ）は右側から見た概略斜視図である。
【図１２】従来の大正琴の演奏法を示す説明図である。
【符号の説明】
１２  本体
１４  表面板
１６  主要旋律弦
１８  伴奏旋律弦
３０  ブリッジ
５２  移調スティック
５４  ハーモニクスライン
【図１】
0003542817.tif 000002
【図２】
0003542817.tif 000003
【図３】
0003542817.tif 000004
【図４】
0003542817.tif 000005
【図５】
0003542817.tif 000006
【図６】
0003542817.tif 000007
【図７】
0003542817.tif 000008
【図８】
0003542817.tif 000009
【図９】
0003542817.tif 000010
【図１０】
0003542817.tif 000011
【図１２】
0003542817.tif 000012
【図１１】
0003542817.tif 000013